(57)【要約】【課題】透明管壁面からの入射光のみならず、端面からの入射光の演出も可能な建築用透明チューブと、これを保持した透明チューブパネル及び透明チューブ並列壁を提供する。【解決手段】本発明の建築用透明チューブ１０は、管の内部で導光する透明管状部１０ａと、透明管状部１０ａの端部に設けられた入光端１０ｃと、透明管状部１０ａの管軸方向における所望位置の局所的領域で導光Ｌｉを外面に散乱Ｌｏさせる射光部１０ｂとを具備してなる。また、本発明の透明チューブパネルは、複数本の建築用透明チューブ１０と、これを保持する保持部を具備する支持体とを有し、建築用透明チューブ１０がその透明管状部１０ａの端部に設けられた入光端１０ｃから入光可能に保持されてなる。さらに、本発明の透明チューブ並列壁は、躯体に、複数本の建築用透明チューブ１０を透明管状部１０ａの端部の入光端１０ｃから入光可能に並列に保持されてなる。【選択図】図１
2006046059.tif 000002
【特許請求の範囲】
【請求項１】
管の内部で導光する透明管状部と、該透明管状部の端部に設けられた入光端と、該透明管状部の管軸方向における所望位置の局所的領域で導光を外面に散乱させる射光部とを具備してなることを特徴とする建築用透明チューブ。
【請求項２】
射光部が、透明管状部の変形部であることを特徴とする請求項１に記載の建築用透明チューブ。
【請求項３】
透明管状部が複数の透明管から形成されており、射光部が複数の透明管の溶着接合部であることを特徴とする請求項１または請求項２に記載の建築用透明チューブ。
【請求項４】
透明管状部がガラス製であり、その内面に被膜層を備えてなることを特徴とする請求項１から３の何れかに記載の建築用透明チューブ。
【請求項５】
透明管状部内に蓄光材を配置させてなることを特徴とする請求項３または請求項４に記載の建築用透明チューブ。
【請求項６】
透明管の溶着接合部に蓄光材を封入したことを特徴とする請求項５に記載の建築用透明チューブ。
【請求項７】
請求項１から６の何れかに記載の複数本の建築用透明チューブと、該建築用透明チューブを保持する保持部を具備する支持体とを有し、該建築用透明チューブがその透明管状部の端部に設けられた入光端から入光可能に保持されてなることを特徴とする透明チューブパネル。
【請求項８】
躯体に、請求項１から６の何れかに記載の複数本の建築用透明チューブを透明管状部の端部の入光端から入光可能に並列に保持されてなることを特徴とする透明チューブ並列壁。
【発明の詳細な説明】
【技術分野】
【０００１】
本発明は、透明なガラス管や樹脂管を使用した建築用透明チューブ、この建築用透明チューブを用いた透明チューブパネル及び透明チューブ並列壁に関する。
【背景技術】
【０００２】
従来、ガラスチューブは、蛍光灯やネオンサイン等の照明装置に用いられてきたが、近年、建築物の形状や装飾の形態の多様化に伴って、種々の断面形状を有する略中空筒形のガラス体（ガラスチューブ）が建築物の装飾に使用されるようになっている。例えば、特許文献１には、ガラス管を複数本並べたガラス管パネルが開示されている。また、特許文献２にはガラス管を透明基板間に配列させた高い断熱性能を有する複合管パネルの開示がある。特許文献３には内面に被膜層を備えた建築用ガラス管および建築用部材が開示されている。また、特許文献４にはガラス筒体のガラス壁構造が開示されている。さらに、特許文献５にはガラスを管状に接合したガラス壁ユニットが開示されている。
【特許文献１】実公昭５２−１５６２９号公報
【特許文献２】特開平９−１２４３４８号公報
【特許文献３】特開２００４−５２２５９号公報
【特許文献４】特開２００２−２８５６７１号公報
【特許文献５】特開２００３−１２９６０７号公報
【発明の開示】
【発明が解決しようとする課題】
【０００３】
しかしながら、特許文献１にはガラス管を接合部材で接合したガラス壁が開示されているが、接合部材が透明または中空である記載がなく、ガラス管の端面から内部に光を取り込むような構造にはなっていない。また、特許文献２に記載されている複数本のガラス管を縦（管軸方向）に並べた複合管パネルは、互いのガラス管が連通しておらず、管軸方向に並んだ複数のガラス管の内部を管軸方向に光が十分に通らないという問題がある。
【０００４】
また、ガラス管を他の部材に金具等で固定した場合には、美観が損なわれる。さらに、ガラス管の開放端を密接して保持すると割れや欠けが生じやすくなる。そこで、接着剤を使用してガラス管を保持すると、接着界面の機械的強度不足の問題、接着剤の経時劣化による保持強度の低下の問題がある。
【０００５】
また、特許文献１〜５に記載されているガラス壁の中空筒形のガラス体には端面から光を導入する構成にはなっておらず、管の透明性を生かす光の演出を行う場合には、壁面から入光する光の演出のみにたよらざるを得ないという問題を有している。
【０００６】
本発明は、透明管の壁面から入光する光の演出のみならず、透明管の端面から入光する光の演出も可能な建築用透明チューブと、その建築用透明チューブを保持した透明チューブパネル及び建築用透明チューブを複数本並べて保持した透明チューブ並列壁を提供することを課題とする。
【課題を解決するための手段】
【０００７】
本発明に係る建築用透明チューブは、管の内部で導光する透明管状部と、該透明管状部の端部に設けられた入光端と、該透明管状部の管軸方向における所望位置の局所的領域で導光を外面に散乱させる射光部とを具備してなることを特徴とする。
【０００８】
透明チューブが単に直管であると、端面から入光する光の殆どが直進して仄かに光って見える程度であり、周囲が少しでも明るいと光の演出効果はない。また、透明チューブのほぼ全面に渡って光らせることも可能であるが表情が単調になり、長尺のランプ等を並べたものと大差がない。本発明の射光部としては、透明管状部の管軸方向における所望位置の局所的領域で管の内部の導光を散乱させるものであることが、透明管状部の端部の入光端から入光する光の演出を行う上で重要である。導光を散乱させて管の内部から漏光させる具体的な手段としては、透明管状部の管壁内部及び内孔部でほぼ全反射により伝搬する導光の臨界角を超えるような凹凸を形成すれば散乱による漏光が可能であり、透明管の所望位置の外表面または内表面に、屈折率が同じまたは近似したガラスを溶着または樹脂を接着して局所的にいろいろな模様等を形成することで射光部を実現することができる。
【０００９】
本発明の建築用透明チューブで、管の内部を導光するとは、管壁内部及び内孔部で導光することを意味している。また、本発明で透明とは、無色、即ち可視光をほとんど吸収しないものや、特定の可視光を吸収して赤、青、緑などの着色された光が透過するもの、目では直接感じられない特定の赤外光、紫外光などを透過させて蛍光物質や、特殊な眼鏡、カメラ等を使用するものでもよい。透明チューブの表面はクリアだけでなくスリガラス状でもかまわない。さらに、管壁内部のみを導光させた場合にはガラスの透明性、光透過率の度合いによって光量が絞られるので、透明管状部の直管部の発光強度がかなり弱く、射光部の発光強度も少し弱く、光っていると確認できる射光部の数も減少し、全体に暗くなる傾向になる。周囲に照明が全くないか、かなり暗い場所での使用に適していると考えられる。また、透明管状部の管壁内部及び内孔部を導光させると、射光部の発光強度が強くなり、透明管状部の直管部の発光強度も僅かながら強くなる傾向になる。
【００１０】
また、透明管状部の端部の入光端が口焼きされて丸みをおびていると、管の内部で導光の具合が変化し、平坦な切り口の場合に比べて、透明管状部の直管部の発光強度が強くなり、入光端の口焼きされている丸みの大小やその形状により光の強度分布にも変化が生じる。
【００１１】
また、建築用透明チューブは、射光部が透明管状部の変形部であることを特徴とする。
【００１２】
射光部が透明管状部の変形部とすることで、接合部材等の他の部材を使用することなく射光部として光らせることが可能となる。透明管状部を変形させる方法としては、加熱し軟化させた状態で、ローラその他による形押し、ねじり、膨出、絞り込み加工、これらの組み合わせ等が可能である。また、所要の接合強度が維持できる範囲内で薩摩きりこのような削り込みも可能である。
【００１３】
また、建築用透明チューブは、透明管状部が複数の透明管から形成されており、射光部が複数の透明管の溶着接合部であることを特徴とする。
【００１４】
透明管状部が複数の透明管から形成されており、射光部が複数の透明管の溶着接合部であると、単に透明管状部を変形させた場合に比べて溶着界面で複雑に光を散乱させることが可能になり、さらに溶着作業を工夫することで竹の節に似た外観や、ねじり、膨出、絞り込み、所要の接合強度が維持できる範囲内で接合界面への気泡や異物の封入等を組み合わせた種々の意匠表現の実現も可能となる。なお、溶着接合は加熱による熔着が主たるものであるが、透明管の端部同士を一時的に溶媒に溶かして接合してもよい。
【００１５】
また、建築用透明チューブは、透明管状部がガラス製であり、その内面に被膜層を備えてなることを特徴とし、内面のみに被膜層を備えてなることが好ましい。
【００１６】
透明管状部として外表面に透明な樹脂フィルムを貼り付けたガラス管を用い、建築用透明チューブを外装材として使用すると、建築用透明チューブの外表面に貼り付けられている樹脂フィルムに傷がつきやすく、直接風雨等にさらされると樹脂フィルムについた傷の周辺が劣化しやすく、ガラス管と樹脂フィルムとの接着がはがれやすい。また、透明管状部の外表面がガラスでなく樹脂であるとガラスが本来有する質感を失い、高級感が損なわれたものになる。さらに、一旦外表面が汚れると、樹脂フィルムについた傷に汚れが入り込み、汚れが目立ちやすいため美観が損なわれる。
【００１７】
そこで、透明管状部がガラス製で外表面がガラスであると、ガラスは、耐候性に優れるため、変色したり、ひび割れたりせず、傷がつきにくく、汚れが目立ちにくくなり、ガラスの本来有する高級感が損なわれない。また、被膜層を備えることにより、ガラス管が破損した場合、ガラスの破片の飛散を防止しにくい。
【００１８】
このように、ガラス管を外装材として使用しても、ガラス管の内面に被膜層が形成されているため、被膜層に傷がつきにくく、また、直接風雨等にさらされることがなく、被膜層が劣化しにくいため、ガラス管と被膜層との接着が剥がれにくい。
【００１９】
本発明の建築用透明チューブに使用するガラス管のガラスとしては、ソーダ石灰ガラス、アルミノアルカリ石灰ガラス、ホウケイ酸ガラス、アルミノホウケイ酸ガラス等が使用可能であり、材質としては特に制限がないが、ホウケイ酸ガラスであるとガラスチューブの外表面や内表面に傷がつきにくく、外観が損なわれにくいため好ましい。また、ガラス管は、内面がシランカップリング剤等によって表面処理されてなると、被膜層との接着性を高めることができる。
【００２０】
被膜層としては、ガラス管が破損した際にガラスの破片を保持できる接着力を有し、破断しにくいものであればよく、樹脂やゴム等が使用可能である。また、被膜層は１枚または複数枚の層から構成されていても、被膜層がガラス管の内孔内をすべて充填していても構わない。樹脂としては、エポキシ樹脂、不飽和ポリエステル樹脂、オキセタン樹脂、シリコーン樹脂、ウレタン樹脂、ポリカーボネート樹脂、ポリエチレンテレフタレート樹脂、フッ素樹脂等が好適である。また、ゴムとしては、シリコーンゴム、クロロプレンゴム、ポリサルファイドゴム、ウレタンゴム等が好適である。
【００２１】
建築用透明チューブの形状は、断面形状が真円であっても、半円、楕円または矩形のような異形であっても良く、直管であっても、アーチ状、波状、楕円または矩形のねじれ形状またはらせん状等の曲がった管であっても良い。
【００２２】
また、被膜層が無色で透明であると、採光性に優れるが、不透明であったり、着色していたり、柄が描かれていたりすると装飾性に優れる。
【００２３】
さらに、本発明の建築用透明チューブは、透明管状部内に蓄光材を配置させてなることを特徴とするものであり、透明管の溶着接合部に蓄光材を封入することが光の演出効果を高める上で好ましい。
【００２４】
本発明で透明管状部内に配置させる蓄光材としては、シート状、テープ状、塗布可能なインク状等のものが使用可能であり、種々の模様やパターンを表現することができるものであればよい。また、本発明で透明管の溶着接合部に封入する蓄光材としては、ガラスの熱加工温度に耐え得る耐熱性を有する高輝度蓄光材であることが好ましく、アルミン酸塩化合物を主成分に希土類元素の賦活剤を添加焼成することにより、耐候性に優れ、化学的に安定、特に有害な物質は含まないもの、特に、アルミニウム、ストロンチウム、ユーロピウム、ジスプロシウム等で構成される酸化物粉末の使用が好ましい。
【００２５】
また、本発明に係る透明チューブパネルは、上記の何れかの特徴を有する複数本の建築用透明チューブと、該建築用透明チューブを保持する保持部とを具備した支持体とを有し、該建築用透明チューブがその透明管状部の端部に設けられた入光端から入光可能に保持されてなることを特徴とする。
【００２６】
複数本の建築用透明チューブをその透明管状部の端部に設けられた入光端から入光可能に保持する保持部を具備した支持体としては、複数本の建築用透明チューブを並列に平面状、凸面状または凹面状、扇形、半鼓形状、環状、鼓形状等の種々の状態で保持するフレームなどが使用可能であり、デザイン性（意匠性）を優先させる場合には建築用透明チューブの入光端や導光部、照明部等は外部から見えないように配置可能であることが好ましい。しかし、あえて照明部や、外光、ランプ光源などを入光端に導く光ファイバ、反射鏡などが見えるように配置することで、メカニカル構造を印象づける外観にしてもよい。
【００２７】
本発明に係る透明チューブ並列壁は、躯体に、上記の何れかの特徴を有する複数本の建築用透明チューブを透明管状部の端部の入光端から入光可能に並列に保持されてなることを特徴とする。
【００２８】
複数本の建築用透明チューブを、その透明管状部の端部の入光端から入光可能に並列に保持する躯体としては、家屋、ビル、大型オブジェ等建築構造物の内外の壁面、壁の開口部等があり、複数本の建築用透明チューブを平面状、凸面状または凹面状等並列に配置して透明管状部の端部の入光端から入光可能に並列に保持する構造であればよい。建築物としてのデザイン性を考慮すると、建築用透明チューブの入光端や導光部、照明部等は外部から見えないように躯体に内蔵配置することが好ましい。建築用透明チューブを躯体に取り付ける手段としては、セメントやモルタル等で固定する方法、フレームや支持部材を介して躯体に取り付ける方法等がある。
【発明の効果】
【００２９】
本発明の建築用ガラスチューブは、管の内部で導光する透明管状部と、該透明管状部の端部に設けられた入光端と、該透明管状部の管軸方向における所望位置の局所的領域で導光を外面に散乱させる射光部とを具備してなるので、単調な透明管に多様な表情の変化を具備させることが可能となり、その透明管状部の入光端から照明、外光などを導入することにより、透明管状部の仄かに光って見える程度の他の直管部分に比べて射光部から強い光が放たれるので、幻想的な雰囲気等を演出することが可能となる。
【００３０】
また、建築用ガラスチューブの射光部が、透明管状部の変形部であると、他の部材を使用することなく、単調な透明管に多様な表情の変化を具備させることが可能となる。さらに、建築用ガラスチューブの透明管状部が複数の透明管から形成されており、射光部が複数の透明管の溶着接合部であると、透明管の繋ぎ目の部分が外観形状の点や射光の演出の点で前記したような独特の意匠性を発揮する装飾が可能となる。
【００３１】
また、建築用ガラスチューブの透明管状部がガラス製であり、その内面に被膜層を備えてなると、接着面で剥がれたりすることがなく機械的強度が高い上に、外表面がガラスであるため、傷がつきにくく、長期に亘って高級感を維持することが可能となる。
【００３２】
また、端面からの入射光のみでは発光強度は低いが、建築用ガラスチューブが透明管状部内に蓄光材を配置させてなるものであると、停電時、ガラスチューブに激突防止が可能となり、ガラスの破損を防止して安全を確保することができる。特に、透明管の溶着接合部に蓄光材を封入したものであると、射光部の発光強度がトータルで増加するため、光の演出効果をさらに高めることが可能となる。また、照明が落とされた後に、溶着部がほのかに発光するので独特の演出効果が得られる。
【００３３】
また、本発明の透明チューブ並列パネルは、上記の何れかの特徴を有する複数本の建築用透明チューブと、該建築用透明チューブを保持する保持部とを具備した支持体とを有し、該建築用透明チューブがその透明管状部の端部に設けられた入光端から入光可能に保持されてなるので、多様な表情を具備して独特の光の演出が可能な透明管を支持体に保持固定しており、かつ取り扱いが容易なパネルの実現が可能となる。
【００３４】
また、本発明の透明チューブ並列壁は、躯体に、上記の何れかの特徴を有する複数本の建築用透明チューブを透明管状部の端部の入光端から入光可能に並列に保持されてなるので、家屋、ビル、大型オブジェ等建築構造物の内外の壁面、壁の開口部等に多様な表情を具備して独特の光の演出が可能な壁面を実現することが可能となる。
【発明を実施するための最良の形態】
【００３５】
以下に、本発明の建築用透明チューブ、透明チューブパネル及び透明チューブ並列壁のそれぞれの実施形態について具体的に説明する。
【００３６】
まず、建築用透明チューブを構成する透明管は、アクリルその他の透明樹脂製でもよいが、透明管がガラスチューブであり、ダンナー法によって作製された円筒形のガラスチューブであると生産性に優れ、継ぎ目がなく機械的強度も高いので、建築用に適している。
【００３７】
図１は本発明の建築用透明チューブを示し、図１（Ａ）は３本の透明ガラス管１１を溶着接合し、射光部となる接合部１０ｂが竹の節に似た外観を呈しており、透明ガラス管１１の端部から外光が入る入光端１０ｃになっている建築用透明チューブ１０の部分断面説明図であり、図１（Ｂ）は透明ガラス管２０ａの表面に射光部としてバーナー等による加熱成形でねじり凹凸模様２０ｂが設けてあり、端部から外光が入る入光端２０ｃを有する建築用透明チューブ２０の部分断面説明図、図１（Ｃ）は透明ガラス管３０ａの表面に射光部として融着ガラスによる模様３０ｂが設けてあり、外光が入る入光端３０ｃを有するた建築用透明チューブ３０の部分断面説明図である。これらは、入光端から導入された入射光Ｌｉが管壁内部及び内孔部でほぼ全反射により伝搬して導光の臨界角を超えるような凹凸形状を有しており、外面に散乱光Ｌｏを出射させる射光部となっているものである。
【実施例１】
【００３８】
本実施例１の建築用透明チューブ１０は、図１（Ａ）に示すように、ダンナー法によって作製した継ぎ目のない断面形状が真円の直管で、外径が５０ｍｍ、長さが３００ｍｍ、肉厚が３．２ｍｍである透明ガラス管１１を３本溶着接合したものであり、接合部１０ｂが竹の節に似た外観を呈している。この建築用透明チューブ１０は、溶着接合された透明ガラス管１１の管壁内部及び内孔部で導光するようになっており、端部に設けられた入光端１０ｃから導入された入射光Ｌｉが管壁内部及び内孔部でほぼ全反射により伝搬して接合部１０ｂに到ると、接合部１０ｂが導光の臨界角を超えるような凹凸形状を有しており、外面に散乱光Ｌｏを出射させる射光部となっているものである。
【００３９】
また、図２（Ａ）、（Ｂ）に示すように、その透明ガラス管１１の内面に液状のフィルム形成材を塗布し、フィルム形成材を乾燥または硬化させて、肉厚が５０μｍの無色透明なエポキシ樹脂からなる被膜層１０ｄが形成されている。具体的に透明ガラス管１１の内面にフィルム形成材を塗布する方法としては、片側の端部にシールを施したガラス管の内孔内にフィルム形成材を充填し、余剰分を除去する方法と、透明ガラス管１１の内壁に必要量のフィルム形成材を滴下しコートする方法と、先端部にスプレー口を有するノズルをガラス管の内孔内に挿入してノズルから直接フィルム形成材をガラス管の内面にスプレーする方法がある。また、別の方法として透明ガラス管１１は、樹脂フィルムの片面または透明ガラス管１１の内面に接着剤を塗布して透明ガラス管１１の内面に樹脂フィルムを接着させて作製される。他にも、透明ガラス管１１は、透明ガラス管１１の内孔内にガラス製または樹脂製の管状体または棒状体を配置し、透明ガラス管１１と管状体または棒状体の間に液状の硬化性樹脂を充填し、硬化して作製される。
【００４０】
建築用透明チューブ１０を作製する場合、まず、外径が５０ｍｍ、長さが３００ｍｍ、肉厚が３．２ｍｍである透明ガラス管１１を３本準備する。次いで、ガラス旋盤（図示省略）に２本をチャックさせる。この際、マシン駆動側のチャックにはブローパイプが接続されており、透明ガラス管１１をチャックする際に、透明ガラス管１１の開放端をブローヘッドに押しつけておく。他方の透明ガラス管１１は、ブローエアーの抜けを防止するために非溶着端部にゴムキャップやテープ等で蓋をしておく。その後、２本の透明ガラス管１１を同期回転させながら、ガスバーナーで融着する端部を予熱する。透明ガラス管１１の端部が所定の作業温度に達したら、ガスバーナーに酸素を供給する等で火炎の温度を上昇させ、透明ガラス管１１の開放端にブローエアーを供給しながら、他方の透明ガラス管１１の端面を突き合わせ（ジャム）、適度に溶着された後に、引き下げ（ストレッチ）て溶着接合部の肉厚を整える。接合部１０ｂを竹の節に似た外観に成形する場合、再度、ブローエアーを供給しながら他方の透明ガラス管１１近づけて接合部１０ｂ全体を膨出させる。その後、ガスバーナーの火炎を弱め、接合部１０ｂ全体を徐冷して割れないようにする。次に、チャック位置をずらして３本目の透明ガラス管１１の開放端をブローヘッドに押しつけてチャックし、同上の操作を繰り返す。
【００４１】
なお、透明ガラス管１１は、組成が質量％でＳｉＯ2  ７０％、Ａｌ2Ｏ3  ５％、Ｂ2Ｏ3  １４％、ＣａＯ  ０．５％、ＢａＯ  １．５％、Ｎａ2Ｏ  ７％、Ｋ2Ｏ  ２％のホウケイ酸ガラスからなる。
【実施例２】
【００４２】
本実施例２の透明チューブパネルは、図３（Ａ）に示すように、複数本の建築用透明チューブ１０と、建築用透明チューブ１０を保持する上下の保持部１２ａ、１２ｃとこれらを連結する連結部１２ｂとを具備したフレーム１２とを有し、図３（Ｂ）に示すように、上部保持部１２ａ内の建築用透明チューブ１０がその透明管状部の端部に設けられた入光端１０ｃからランプ１３の光を入光可能に保持されている。
【００４３】
また、透明チューブパネルは、図３（Ｃ）に示すように、フレーム１２'の上部保持部１２ａ'内の入光端１０ｃに、反射ミラー１２ｄを介してランプ１３の光を導入するようになっている。このような構成にすると、ランプ１３の交換やメンテナンスが容易になり、上部保持部１２ａ'内の温度上昇を抑制しやすくなる。
【００４４】
このような透明チューブパネルは、建物の開口部や間仕切りのサイズに合わせてフレーム１２の寸法を決めておくと、容易に着脱が可能となり、恒久的な用途のみならず、定期的な模様替え等にも便利に使用できるものである。
【実施例３】
【００４５】
本実施例３の透明チューブ並列壁は、壁１５の開口部１５ａの上部に、ランプ１３のランプハウス機能と建築用透明チューブ１０の上端部を保持する機能を併せ持つ上部空間部１５ｂと、開口部１５ａの下部に建築用透明チューブ１０の下端部を保持する機能を有する下部保持部１５ｃを具備している。建築用透明チューブ１０の入光端１０ｃから導入されるランプ１３の光の強弱、点滅、色等を制御することで、接合部１０ｂから外面に射光させ、種々な演出が可能となっているものである。なお、下部保持部１５ｃを壁１５から着脱可能にしておくと、建築用透明チューブ１０の交換等のメンテナンス作業が容易になる。
【実施例４】
【００４６】
本実施例４の建築用透明チューブは、図１（Ａ）に示す建築用透明チューブ１０の接合部１０ｂにアルミニウム、ストロンチウム、ユーロピウム、ジスプロシウム等で構成される酸化物粉末からなる蓄光材（エルティーアイ株式会社製  α−ＦＬＡＳＨ  ＰＧ／ＰＢ、粒径：２〜３０００μｍ）を封入したものであり、導入された入射光Ｌｉが管壁内部及び内孔部でほぼ全反射により伝搬して竹の節に似た外観を呈する接合部１０ｂに到ると、発光強度が増加するため、光の演出効果をさらに高めることが可能となる。また、接合部１０ｂが、照明が落とされた後に、ほのかに発光するので独特の演出効果が得られる。さらに停電時、透明チューブに激突防止が可能となり、ガラスの破損を防止して安全を確保することができる。
【００４７】
本実施例４の建築用透明チューブを作製する場合、まず、建築用透明チューブ１０を作製する場合と同様に、外径が５０ｍｍ、長さが３００ｍｍ、肉厚が３．２ｍｍである透明ガラス管１１を３本準備する。次いで、ガラス旋盤（図示省略）に２本をチャックさせる。この際、マシン駆動側のチャックにはブローパイプが接続されており、透明ガラス管１１をチャックする際に、透明ガラス管１１の開放端をブローヘッドに押しつけておく。他方の透明ガラス管１１は、ブローエアーの抜けを防止するために非溶着端部にゴムキャップやテープ等で蓋をしておく。その後、２本の透明ガラス管１１を同期回転させながら、ガスバーナーで融着する端部を予熱する。透明ガラス管１１の端部が所定の作業温度に達したら、ガスバーナーに酸素を供給する等で火炎の温度を上昇させる。次に、透明ガラス管１１の開放端にブローエアーを供給する際に、例えば、蓄光材（エルティーアイ株式会社製α−ＦＬＡＳＨ、粒度３〜６０μｍ）をブローエアーに混合して融着面に向けて噴出させ、蓄光材を付着させる。次いで、他方の透明ガラス管１１の端面を突き合わせ（ジャム）、適度に溶着された後に、引き下げ（ストレッチ）て溶着接合部の肉厚を整える。接合部１０ｂを竹の節に似た外観に成形する場合、再度、ブローエアーを供給しながら他方の透明ガラス管１１近づけて接合部１０ｂ全体を膨出させる。その後、ガスバーナーの火炎を弱め、接合部１０ｂ全体を徐冷して割れないようにする。次に、チャック位置をずらして３本目の透明ガラス管１１の開放端をブローヘッドに押しつけてチャックし、同上の操作を繰り返す。
【００４８】
以上のように、本発明の建築用透明チューブを用いた透明チューブパネル及び透明チューブ並列壁は、透明管の壁面から入光する光の演出及び透明管の端面から入光する光の演出が可能となるので、これまでになかった光の演出が可能であり、機械的強度の点などの安全性が高いものである。そのため、多様な表情を具備して独特の光の演出が可能な壁面を、家屋、ビル、大型オブジェ等建築構造物の内外の壁面、壁の開口部等に実現することが可能となるものである。
【産業上の利用可能性】
【００４９】
本発明の技術は、建築物の内外装材だけでなく、商品展示ディスプレイの背景用などにも適用可能である。
【図面の簡単な説明】
【００５０】
【図１】本発明の建築用透明チューブの説明図であって、（Ａ）は複数の透明管を接合させて射光部を形成したもの、（Ｂ）は長尺の透明管を部分的に変形させて射光部を形成したもの、（Ｃ）は長尺の透明管の表面に屈折率が同じまたは近い部材を着けて射光部を形成したものの部分断面説明図。
【図２】本発明の建築用透明チューブの説明図であって、（Ａ）は斜視図、（Ｂ）は平面図。
【図３】本発明の建築用透明チューブを使用した透明チューブパネルの説明図であって、（Ａ）は斜視図、（Ｂ）は光源部の拡大説明図、（Ｃ）は反射ミラーを使用した形態の光源部の拡大説明図。
【図４】本発明の建築用透明チューブを使用した透明チューブ並列壁の説明図。
【符号の説明】
【００５１】
１０、２０、３０    建築用透明チューブ
２０ｂ、３０ｂ    模様（射光部）
１０ｂ    接合部（射光部）
１０ｃ、２０ｃ、３０ｃ    入光端
１０ｄ    被膜層
１１    透明ガラス管
１１ａ    内孔部
１１ｂ    内表面
１２、１２'    フレーム
１２ａ、１２ａ'    上部保持部
１２ｂ    連結部
１２ｃ    下部保持部
１２ｄ    反射ミラー
１３    ランプ
１５    躯体
１５ａ    開口部
１５ｂ    上部空間部
１５ｃ    下部保持部
Ｌｉ    入射光
Ｌｏ    散乱光
【図１】
2006046059.tif 000003
【図２】
2006046059.tif 000004
【図３】
2006046059.tif 000005
【図４】
2006046059.tif 000006